【手続補正書】
【提出日】平成17年12月2日(2005.12.2)
【手続補正１】
【補正対象書類名】明細書
【補正対象項目名】特許請求の範囲
【補正方法】変更
【補正の内容】
【特許請求の範囲】
【請求項１】内燃機関に対して液相燃料を噴射供給する燃料噴射機構が設けられる燃料供給系統を含めて、当該内燃機関に対して燃料の供給を行う複数の燃料供給系統を備える内燃機関の燃料供給装置において、
前記燃料噴射機構が設けられている燃料供給系統を含めて少なくとも２つの燃料供給系統を通じて任意の１つの気筒に対する燃料の供給が行われるとき、前記燃料噴射機構内の燃料の圧力を同燃料噴射機構が設けられる燃料供給系統のみを通じて燃料の供給が行われるときよりも減圧する燃料加圧値変更手段を備える
ことを特徴とする内燃機関の燃料供給装置。
【請求項２】前記内燃機関は複数の気筒を備える多気筒内燃機関からなり、前記複数の燃料供給系統は、前記複数の気筒に対応して前記燃料噴射機構が設けられる燃料供給系統であって、燃料タンクに貯留されている液相燃料を燃料ポンプにより液相燃料供給経路に圧送し、この液相燃料供給経路を介して前記燃料噴射機構に供給された液相燃料を同燃料噴射機構により当該内燃機関に噴射供給する第１の燃料供給系統と、前記複数の気筒に各々接続される複数の吸気通路の集合部に対して燃料を供給する燃料供給系統であって、前記燃料タンクと前記複数の吸気通路の集合部とを接続する燃料供給経路を介して同複数の吸気通路の集合部に前記燃料タンクに滞留している気相燃料を供給する第２の燃料供給系統とからなり、
前記燃料加圧値変更手段は、前記第１の燃料供給系統の前記燃料噴射機構の下流もしくは上流から前記液相燃料を前記燃料タンクに還流せしめる還流経路に設けられる調圧機構の調圧設定値を変更することによって、前記燃料噴射機構内の燃料の圧力を減圧するものである
請求項１記載の内燃機関の燃料供給装置。
【請求項３】前記調圧機構は、前記還流経路に設けられて前記燃料噴射機構内の燃料の圧力を第１の調圧設定値に維持する第１の調圧機構と、前記還流経路の前記第１の調圧機構よりも上流から分岐されて前記燃料タンクに接続される補助還流経路に設けられて前記第１の調圧設定値よりも低い第２の調圧設定値に設定された第２の調圧機構と、前記補助還流経路を選択的に開閉する制御弁とからなり、
前記燃料加圧値変更手段は、前記制御弁の開閉操作を行うことによって前記還流経路に設けられる調圧機構の調圧設定値を変更するものである
請求項２記載の内燃機関の燃料供給装置。
【請求項４】前記調圧機構は、前記還流経路に設けられて前記燃料噴射機構内の燃料の圧力を所定の調圧設定値に維持する複数の調圧機構と、該複数の調圧機構のうちの少なくとも１つを迂回する態様で前記還流経路から分岐される迂回還流経路に設けられて同迂回還流経路を選択的に開閉する制御弁とからなり、
前記燃料加圧値変更手段は、前記制御弁の開閉操作を行うことによって前記還流経路に設けられる調圧機構の調圧設定値を変更するものである
請求項２記載の内燃機関の燃料供給装置。
【請求項５】前記内燃機関は複数の気筒を備える多気筒内燃機関からなり、前記複数の燃料供給系統は、前記複数の気筒に対応して前記燃料噴射機構が設けられる燃料供給系統であって、燃料タンクに貯留されている液相燃料を燃料ポンプにより液相燃料供給経路に圧送し、この液相燃料供給経路を介して前記燃料噴射機構に供給された液相燃料を同燃料噴射機構により当該内燃機関に噴射供給する第１の燃料供給系統と、前記複数の気筒に各々接続される複数の吸気通路の集合部に対して燃料を供給する燃料供給系統であって、前記燃料タンクと前記複数の吸気通路の集合部とを接続する燃料供給経路を介して同複数の吸気通路の集合部に前記燃料タンクに滞留している気相燃料を供給する第２の燃料供給系統とからなり、
前記燃料加圧値変更手段は、前記第１の燃料供給系統に設けられる前記燃料ポンプの燃料吐出量を変更することによって、前記燃料噴射機構内の燃料の圧力を減圧するものである
請求項１記載の内燃機関の燃料供給装置。
【請求項６】前記燃料加圧値変更手段は、前記燃料ポンプに供給される電流量を調整することによって、前記燃料ポンプの燃料吐出量を変更するものである  請求項５記載の内燃機関の燃料供給装置。
【請求項７】内燃機関に対して液相燃料を噴射供給する燃料噴射機構が設けられる燃料供給系統を含めて、当該内燃機関に対して燃料の供給を行う複数の燃料供給系統を備える内燃機関の燃料供給装置において、
前記燃料噴射機構が設けられている燃料供給系統を含めて少なくとも２つの燃料供給系統を通じて任意の１つの気筒に対する燃料の供給が行われるとき、前記燃料噴射機構による単位時間あたりの燃料の噴射量を、同燃料噴射機構が設けられる燃料供給系統のみを通じて燃料の供給が行われるときよりも減量する燃料噴射量変更手段を備える
ことを特徴とする内燃機関の燃料供給装置。
【請求項８】前記内燃機関は複数の気筒を備える多気筒内燃機関からなり、前記複数の燃料供給系統は、前記複数の気筒に対応して前記燃料噴射機構が設けられる燃料供給系統であって、燃料タンクに貯留されている液相燃料を燃料ポンプにより液相燃料供給経路に圧送し、この液相燃料供給経路を介して前記燃料噴射機構に供給された液相燃料を同燃料噴射機構により当該内燃機関に噴射供給する第１の燃料供給系統と、前記複数の気筒に各々接続される複数の吸気通路の集合部に対して燃料を供給する燃料供給系統であって、前記燃料タンクと前記複数の吸気通路の集合部とを接続する燃料供給経路を介して同複数の吸気通路の集合部に前記燃料タンクに滞留している気相燃料を供給する第２の燃料供給系統とからなり、
前記燃料噴射量変更手段は、前記第１の燃料供給系統の前記燃料噴射機構の下流もしくは上流から前記液相燃料を前記燃料タンクに還流せしめる還流経路に設けられる調圧機構の調圧設定値を変更することによって、前記燃料噴射機構による単位時間あたりの燃料の噴射量を減量するものである
請求項７記載の内燃機関の燃料供給装置。
【請求項９】前記調圧機構は、前記還流経路に設けられて前記燃料噴射機構内の燃料の圧力を第１の調圧設定値に維持する第１の調圧機構と、前記還流経路の前記第１の調圧機構よりも上流から分岐されて前記燃料タンクに接続される補助還流経路に設けられて前記第１の調圧設定値より低い第２の調圧設定値に設定された第２の調圧機構と、前記補助還流経路を選択的に開閉する制御弁とからなり、
前記燃料噴射量変更手段は、前記制御弁の開閉操作を行うことによって前記還流経路に設けられる調圧機構の調圧設定値を変更するものである
請求項８記載の内燃機関の燃料供給装置。
【請求項１０】前記調圧機構は、前記還流経路に設けられて前記燃料噴射機構内の燃料の圧力を所定の調圧設定値に維持する複数の調圧機構と、該複数の調圧機構のうちの少なくとも１つを迂回する態様で前記還流経路から分岐される迂回還流経路に設けられて同迂回還流経路を選択的に開閉する制御弁とからなり、  前記燃料噴射量変更手段は、前記制御弁の開閉操作を行うことによって前記還流経路に設けられる調圧機構の調圧設定値を変更するものである
請求項８記載の内燃機関の燃料供給装置。
【請求項１１】前記内燃機関は複数の気筒を備える多気筒内燃機関からなり、前記複数の燃料供給系統は、前記複数の気筒に対応して前記燃料噴射機構が設けられる燃料供給系統であって、燃料タンクに貯留されている液相燃料を燃料ポンプにより液相燃料供給経路に圧送し、この液相燃料供給経路を介して前記燃料噴射機構に供給された液相燃料を同燃料噴射機構により当該内燃機関に噴射供給する第１の燃料供給系統と、前記複数の気筒に各々接続される複数の吸気通路の集合部に対して燃料を供給する燃料供給系統であって、前記燃料タンクと前記複数の吸気通路の集合部とを接続する燃料供給経路を介して同複数の吸気通路の集合部に前記燃料タンクに滞留している気相燃料を供給する第２の燃料供給系統とからなり、
前記燃料噴射量変更手段は、前記第１の燃料供給系統に設けられる前記燃料ポンプの燃料吐出量を変更することによって、前記燃料噴射機構による単位時間あたりの燃料の噴射量を減量するものである
請求項７記載の内燃機関の燃料供給装置。
【請求項１２】前記燃料噴射量変更手段は、前記燃料ポンプに供給される電流量を調整することによって、前記燃料ポンプの燃料吐出量を変更するものである
請求項１１記載の内燃機関の燃料供給装置。
【請求項１３】燃料タンクに貯留されて燃料ポンプにより圧送された液相燃料を燃料噴射機構により内燃機関に噴射供給する第１の燃料供給系統と、前記燃料タンクに滞留している気相燃料を前記内燃機関に供給する第２の燃料供給系統と、前記燃料噴射機構内の燃料の圧力を可変とする可変調圧機構とを備える
ことを特徴とする内燃機関の燃料供給装置。
【請求項１４】前記可変調圧機構は、前記第１の燃料供給系統の前記燃料噴射機構の下流もしくは上流から前記液相燃料を前記燃料タンクに還流させるための還流経路に設けられて前記燃料噴射機構内の燃料の圧力を第１の調圧設定値に維持する第１の調圧機構と、前記還流経路の前記第１の調圧機構よりも上流から分岐されて前記燃料タンクに接続される補助還流経路に設けられて前記第１の調圧設定値より低い第２の調圧設定値に設定された第２の調圧機構と、前記補助還流経路に設けられて同補助還流経路を選択的に開閉する制御弁とを備えて構成される
請求項１３記載の内燃機関の燃料供給装置。
【請求項１５】前記可変調圧機構は、前記第１の燃料供給系統の前記燃料噴射機構の下流もしくは上流から前記液相燃料を前記燃料タンクに還流させるための還流経路に設けられて前記燃料噴射機構内の燃料の圧力を所定の調圧設定値に維持する複数の調圧機構と、これら複数の調圧機構のうちの少なくとも１つを迂回する態様で前記還流経路から分岐される迂回還流経路に設けられて同迂回還流経路を選択的に開閉する制御弁とを備えて構成される
請求項１３記載の内燃機関の燃料供給装置。
【請求項１６】燃料タンクに貯留されて燃料ポンプにより圧送された液相燃料を燃料噴射機構により内燃機関に噴射供給する第１の燃料供給系統と、前記燃料タンクに滞留している気相燃料を前記内燃機関に供給する第２の燃料供給系統と、前記燃料ポンプの燃料吐出量を変更する吐出量変更手段とを備える
ことを特徴とする内燃機関の燃料供給装置。
【請求項１７】前記吐出量変更手段は、前記燃料ポンプに供給される電流量を調整する電流量調整手段からなる
請求項１６記載の内燃機関の燃料供給装置。
【請求項１８】内燃機関に対して液相燃料を噴射供給する液相燃料供給系統を含めて、当該内燃機関に対して燃料の供給を行う複数の燃料供給系統を備える内燃機関の燃料供給装置において、
前記液相燃料供給系統を含めて少なくとも２つの燃料供給系統を通じて燃料の供給が行われるとき、前記液相燃料供給系統の燃料の噴射供給圧力を同液相燃料供給系統のみを通じて燃料の供給が行われるときよりも減圧する
ことを特徴とする内燃機関の燃料供給装置。
【請求項１９】内燃機関に対して液相燃料を噴射供給する液相燃料供給系統を含めて、当該内燃機関に対して燃料の供給を行う複数の燃料供給系統を備える内燃機関の燃料供給装置において、
前記液相燃料供給系統を含めて少なくとも２つの燃料供給系統を通じて燃料の供給が行われるとき、前記液相燃料供給系統の単位時間あたりの燃料の噴射供給量を同液相燃料供給系統のみを通じて燃料の供給が行われるときよりも減量する
ことを特徴とする内燃機関の燃料供給装置。
【請求項２０】前記内燃機関が、液化石油ガスを燃料とする内燃機関である請求項１〜１９のいずれかに記載の内燃機関の燃料供給装置。
【手続補正２】
【補正対象書類名】明細書
【補正対象項目名】００４１
【補正方法】変更
【補正の内容】
【００４１】
上記構成によれば、吐出量変更手段は、燃料ポンプに供給される電流量を調整する電流量調整手段を備えて構成される。そして、内燃機関に備えられる任意の１つの気筒に対して上記各燃料供給系統を通じて燃料の供給が行われるときに燃料ポンプに供給される電流量を第１の燃料供給系統のみを通じて燃料の供給が行われるときより少なくすることで、上記請求項６記載の発明の作用効果に準じた作用効果が得られるようになる。
請求項１８記載の発明は、内燃機関に対して液相燃料を噴射供給する液相燃料供給系統を含めて、当該内燃機関に対して燃料の供給を行う複数の燃料供給系統を備える内燃機関の燃料供給装置において、前記液相燃料供給系統を含めて少なくとも２つの燃料供給系統を通じて燃料の供給が行われるとき、前記液相燃料供給系統の燃料の噴射供給圧力を同液相燃料供給系統のみを通じて燃料の供給が行われるときよりも減圧することを要旨としている。
上記構成によれば、燃料供給装置は、内燃機関に対して液相燃料を噴射供給する液相燃料供給系統を含めて、同内燃機関に対して燃料の供給を行う複数の燃料供給系統を備えて構成される。そして、上記液相燃料供給系統を含めて少なくとも２つの燃料供給系統を通じて燃料の供給が行われるとき、上記液相燃料供給系統の燃料の噴射供給圧力を同液相燃料供給系統のみを通じて燃料の供給が行われるときよりも減圧することで、上記請求項１記載の発明の作用効果に準じた作用効果が得られるようになる。
請求項１９記載の発明は、内燃機関に対して液相燃料を噴射供給する液相燃料供給系統を含めて、当該内燃機関に対して燃料の供給を行う複数の燃料供給系統を備える内燃機関の燃料供給装置において、前記液相燃料供給系統を含めて少なくとも２つの燃料供給系統を通じて燃料の供給が行われるとき、前記液相燃料供給系統の単位時間あたりの燃料の噴射供給量を同液相燃料供給系統のみを通じて燃料の供給が行われるときよりも減量することを要旨としている。
上記構成によれば、燃料供給装置は、内燃機関に対して液相燃料を噴射供給する液相燃料供給系統を含めて、同内燃機関に対して燃料の供給を行う複数の燃料供給系統を備えて構成される。そして、上記液相燃料供給系統を含めて少なくとも２つの燃料供給系統を通じて燃料の供給が行われるとき、上記液相燃料供給系統の単位時間あたりの燃料の噴射供給量を同液相燃料供給系統のみを通じて燃料の供給が行われるときよりも減量することで、上記請求項７記載の発明の作用効果に準じた作用効果が得られるようになる。
【手続補正３】
【補正対象書類名】明細書
【補正対象項目名】００４２
【補正方法】変更
【補正の内容】
【００４２】
請求項２０記載の発明は、請求項１〜１９のいずれかに記載の内燃機関の燃料供給装置において、前記内燃機関が、液化石油ガスを燃料とする内燃機関であることを要旨としている。
【手続補正４】
【補正対象書類名】明細書
【補正対象項目名】００４３
【補正方法】変更
【補正の内容】
【００４３】
上記構成によれば、液化石油ガスを燃料とする内燃機関の燃料供給装置に対して上記請求項１〜１９のいずれかに記載の発明が適用される。これにより、液化石油ガスを内燃機関に対して供給する燃料供給装置において、上記請求項１〜１９のいずれかに記載の発明の作用効果に準じた作用効果が得られるようになる。